(57)【要約】【課題】  アクチュエータ駆動信号の出力の終了を所望のクランク角度で確実に行うことができ、排気エミッション特性の向上、燃費の向上等を効果的に図ることができるようにされたエンジンの高圧燃料ポンプ制御装置を提供する。【解決手段】  燃料噴射弁と、加圧室、該加圧室内の燃料を加圧するプランジャ、前記加圧室内に設けられた燃料通過弁、及び、該通過弁を操作するアクチュエータ（ソレノイド）を有し、前記燃料蓄圧室に燃料を圧送する高圧燃料ポンプと、所定のクランク角度位置をあらわす信号を出力するクランク角センサと、を備える。前記高圧燃料ポンプの吐出量を可変とすべく、前記ソレノイドの駆動（制御）信号の出力制御を行う制御手段を有し、該制御手段は、前記ソレノイド駆動（制御）信号の出力を開始した後、前記クランク角センサから前記所定のクランク角度位置をあらわす信号が入力されたことを認識したとき、前記ソレノイド駆動信号の出力を終了するようにされる。【選択図】  図１６
2006037836.tif 000002
【特許請求の範囲】
【請求項１】
燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、所定のクランク角度位置をあらわす信号を出力するクランク角センサと、を備えたエンジンの高圧燃料ポンプ制御装置であって、
前記高圧燃料ポンプの吐出量を可変とすべく、前記アクチュエータの駆動信号の出力制御を行う制御手段を有し、
該制御手段は、前記アクチュエータ駆動信号の出力を開始した後、前記クランク角センサから前記所定のクランク角度位置をあらわす信号が入力されたことを認識したとき、前記アクチュエータ駆動信号の出力を終了することを特徴とする高圧燃料ポンプ制御装置。
【請求項２】
前記クランク角センサとして、カム軸の回転位置をあらわす信号を出力するフェーズセンサ、及び又は、クランク軸の回転位置をあらわす信号を出力するポジションセンサが用いられていることを特徴とする請求項１に記載の高圧燃料ポンプ制御装置。
【請求項３】
前記制御手段は、前記クランク角センサから得られる前記所定のクランク角度位置をあらわす信号がＨｉｇｈからＬｏｗに切り換わったとき、該信号が入力されたと認識するようにされていることを特徴とする請求項１又は２に記載の高圧燃料ポンプ制御装置。
【請求項４】
前記所定のクランク角度位置をあらわす信号は、前記プランジャの下死点からクランク軸が所定角度回転する以前に入力されるようになっていることを特徴とする請求項１から３のいずれかに記載の高圧燃料ポンプ制御装置。
【請求項５】
前記制御手段は、前記所定角度を、エンジン回転数、バッテリ電圧、及び前記アクチュエータを構成するソレノイドのコイル抵抗のうちの少なくとも一つを用いて算出すること特徴とする請求項１から４のいずれかに記載の高圧燃料ポンプ制御装置。
【請求項６】
前記制御手段は、前記クランク角センサから得られる信号に基づいて設定された制御基準点から一定期間以内に、前記アクチュエータ駆動信号の出力を終了することを要求する、前記所定のクランク角度位置をあらわす信号が入力されたことを認識した場合、前記終了要求を無視して前記出力を継続することを特徴とする請求項１から５のいずれかに記載の高圧燃料ポンプ制御装置。
【請求項７】
前記制御手段は、前記制御基準点から一定時間が経過したとき、前記アクチュエータ駆動信号の出力を終了することを特徴とする請求項６に記載の高圧燃料ポンプ制御装置。
【請求項８】
前記制御手段は、前記制御基準点を、前記高圧燃料ポンプの吸入行程中に、前記クランク角センサから特定のクランク角度位置をあらわす信号が入力されたことを認識した時点としていることを特徴とする請求項７に記載の高圧燃料ポンプ制御装置。
【請求項９】
前記制御手段は、前記ポジションセンサが故障と判定された場合には、前記フェーズセンサからの信号を使用することを特徴とする請求項２から８のいずれかに記載の高圧燃料ポンプ制御装置。
【発明の詳細な説明】
【技術分野】
【０００１】
本発明は、エンジンの高圧燃料ポンプ制御装置に係り、特に、エンジンの燃料噴射弁に圧送される高圧燃料の吐出量を可変に調節できるエンジンの高圧燃料ポンプ制御装置に関する。
【背景技術】
【０００２】
現在の自動車は、環境保全の観点から自動車の排出ガスに含まれる一酸化炭素（ＣＯ）、炭化水素（ＨＣ）、窒素酸化物（ＮＯｘ）等の特定物質の削減、つまり、排気エミッション特性の向上や燃費の向上等が要求されており、これらの要求を満たすため、ダイレクトインジェクションエンジン（筒内噴射エンジン）の開発が行われている。かかる筒内噴射エンジンは、燃料噴射弁による燃料噴射を気筒の燃焼室内に直接行うものであり、燃料噴射弁から噴射される燃料の粒径を小さくすることによって前記噴射燃料の燃焼を促進し、排気エミッション特性及びエンジン出力の向上等を図っている。
【０００３】
ここで、燃料噴射弁から噴射される燃料の粒径を小さくするには、燃料の高圧化を図る手段が必要になり、このため、燃料噴射弁に高圧の燃料を圧送する高圧燃料ポンプに関わる技術、すなわち、高圧燃料ポンプ制御装置が種々提案されている。
【０００４】
例えば、下記特許文献１には、エンジンの高圧燃料供給装置における燃料供給能力の向上を図るべく、可変吐出量高圧ポンプは、ポンプ室に３つの通路、すなわち、前記ポンプ室に低圧燃料を流入させる流入通路と、蓄圧室（コモンレール）に高圧燃料を送る供給通路と、スピル通路とが連通されており、前記スピル通路にはスピル弁が接続され、前記スピル弁の開閉動作によって燃料タンクへのスピル量を制御することにより吐出量を調整するようにしたものが開示されている。
【０００５】
また、下記特許文献２には、ポンプ室の容積を吸入行程開始から吐出行程終了直前までの間に変化させることにより、吐出量を調整するようにしたものが開示されている。
【０００６】
下記特許文献３には、燃料噴射弁の燃料噴射量に応じて供給される高圧燃料の流量制御を行うことにより、高圧燃料ポンプ駆動力の低減及び流量制御用の弁が作動しない場合にも燃料の供給を行うようになし、吸入弁の下流側（加圧室側）の圧力が上流側（吸入口側）の圧力に対して同等又はそれ以上のときに前記吸入弁に閉弁力が発生するようにされ、前記吸入弁が閉弁方向に移動した際に係合するように付勢力を与えられた係合部材、外部入力により前記付勢力と逆方向の付勢力を係合部材に作用させるアクチュエータが設けられ、前記吸入弁の開閉動作により燃料吐出量を調節するものが開示されている。
【０００７】
下記特許文献４には、エンジン運転状態にかかわらず精度良く燃料調量を行うものであり、３筒式ポンプにおいて燃料吐出量のサイクル変動を防止するため、ポンプの圧送に同期させて電磁弁の開閉を制御するようにしたものが開示されている。
【０００８】
さらに、下記特許文献４には、燃料ポンプから吐出される燃料を常閉の電磁弁を用いて吸込み側にリリーフさせ、燃料噴射弁側の燃圧制御を行い、信頼性の向上を図るようにしたものが開示され、また、下記特許文献５には、前記常閉の電磁弁に与えられる開弁信号をコイル温度異常上昇を防ぐ目的で、燃料ポンププランジャの上死点から下死点に向かう吸入行程中における上死点過ぎの所定の位置において終了するようにしたものが開示され、さらにまた、下記特許文献６には、高圧燃料ポンプのアクチュエータ駆動信号の出力終了タイミングを所定の位相に制限することにより制御の安定性向上を図るようにしたものが開示されている。
【０００９】
【特許文献１】特開平１０−１５３１５７号公報
【特許文献２】特開２００１−１２３９１３号公報
【特許文献３】特開平１１−３３６６３８号公報
【特許文献４】特開２０００−１８１３０号公報
【特許文献５】特開２００１−２４８５１５号
【特許文献６】特開２００４−１９６３９公報
【発明の開示】
【発明が解決しようとする課題】
【００１０】
ところで、前記可変吐出量高圧ポンプによる従来の燃料圧力制御では、図１５に動作タイミングチャートで示されているように、制御基準点を定め、角度又は時間制御でアクチュエータ駆動信号であるソレノイド制御信号（パルス）が出力されるようになっており、ソレノイド制御信号の出力を終了してもアクチュエータを構成するソレノイドのコイルにはしばらく電流が流れるため、ソレノイドは吸引力を維持したままとなる。
【００１１】
いま、ポンプに少量吐出量要求がなされた場合、ソレノイド制御信号はプランジャ上死点付近で出力される（制御内容詳細は、後述）。このとき、ソレノイドの吸引力が次の吐出行程まで維持されたままとなった場合、高圧燃料ポンプの特性によりポンプは全量吐出を行う。
【００１２】
つまり、前記高圧ポンプは全量吐出を行う一方で、ポンプには少量吐出が要求されていることから、計測燃料圧力は目標燃料圧力に追従することが不可能となる。このことにより、エンジンの運転状態に応じた最適な燃料圧力を実現することができなくなり、シリンダ内（ピストン表面等）に燃料が付着する等によって安定した燃焼が得られなく、排気エミッション特性の悪化や燃費の悪化等という問題が発生する。
【００１３】
前記特許文献６に所載の高圧燃料ポンプ制御装置では、この問題を鑑み、前記ソレノイド制御（駆動）信号の出力を終了するタイミングが重要であることは認識されているが、終了するタイミングを正確に制御する手段までは詳細には記載されていない。特にクランク角センサのうち、カム軸の回転位置をあらわす信号を出力するフェーズセンサのみしか持たないエンジンの場合、時間制御区間が長くなるので回転数（角速度）急変時には要求タイミングに対して精度が出ない（誤差が大きくなる。詳細は図１７参照）。このため、前記問題を完全には解消していない。
【００１４】
かかる点に鑑み、本発明の発明者は、鋭意研究を重ねた結果、可変吐出量高圧ポンプの制御は、前記ソレノイド駆動信号の出力を終了するタイミングの正確性（精度）が重要であり、回転数急変時にも終了タイミングを高精度に保つためには、終了タイミング設定を時間制御で行うではなく、クランク角センサから前記終了タイミングをあらわす信号を出力させればよいことを見い出した。
【００１５】
本発明は、かかる知見に基づいてなされたもので、その目的とするところは、アクチュエータ駆動信号の出力の終了を所望のクランク角度で確実に行うことができるようにされ、もって、排気エミッション特性の向上、燃費の向上等を効果的に図ることができるようにされたエンジンの高圧燃料ポンプ制御装置を提供することにある。
【課題を解決するための手段】
【００１６】
前記目的を達成すべく、本発明に係る高圧燃料ポンプ制御装置は、基本的には、燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、所定のクランク角度位置をあらわす信号を出力するクランク角センサと、を備え、前記高圧燃料ポンプの吐出量を可変とすべく、前記アクチュエータの駆動信号の出力制御を行う制御手段を有する。
【００１７】
そして、前記制御手段は、前記アクチュエータ駆動信号の出力を開始した後、前記クランク角センサから前記所定のクランク角度位置をあらわす信号が入力されたことを認識したとき、前記アクチュエータ駆動信号の出力を終了することを特徴としている。
【００１８】
この場合、前記クランク角センサとして、好ましくは、カム軸の回転位置をあらわす信号を出力するフェーズセンサ、及び又は、クランク軸の回転位置をあらわす信号を出力するポジションセンサが用いられる。
【００１９】
また、前記制御手段は、好ましくは、前記クランク角センサから得られる前記所定のクランク角度位置をあらわす信号がＨｉｇｈからＬｏｗに切り換わったとき、該信号が入力されたと認識するようにされる。
【００２０】
好ましい態様では、前記所定のクランク角度位置をあらわす信号は、前記プランジャの下死点からクランク軸が所定角度回転する以前に入力されるようになっている。
【００２１】
前記制御手段は、好ましくは、前記所定角度を、エンジン回転数、バッテリ電圧、及び前記アクチュエータを構成するソレノイドのコイル抵抗のうちの少なくとも一つを用いて算出するようにされる。
【００２２】
また、前記制御手段は、好ましくは、前記クランク角センサから得られる信号に基づいて設定された制御基準点から一定期間以内に、前記アクチュエータ駆動信号の出力を終了することを要求する、前記所定のクランク角度位置をあらわす信号が入力されたことを認識した場合、前記終了要求を無視して前記出力を継続するようにされる。
【００２３】
さらに、前記制御手段は、好ましくは、前記制御基準点から一定時間が経過したとき、前記アクチュエータ駆動信号の出力を終了するようにされる。
【００２４】
前記制御手段は、前記制御基準点を、好ましくは、前記高圧燃料ポンプの吸入行程中に、前記クランク角センサから特定のクランク角度位置をあらわす信号が入力されたことを認識した時点とするようにされる。
【００２５】
他の好ましい態様では、前記制御手段は、前記ポジションセンサが故障と判定された場合には、前記フェーズセンサからの信号を使用するようにされる。
【発明の効果】
【００２６】
本発明に係るエンジンの高圧燃料ポンプ制御装置は、アクチュエータ駆動信号の出力の終了を、前記クランク角センサから所定のクランク角度位置をあらわす信号が入力されたことを認識したときとしているので、アクチュエータ駆動信号の出力の終了を所望のクランク角度で確実に行うことができ、このため、燃料の吸入通路を閉じさせるアクチュエータの駆動信号の出力を強制的に終了しなければならないタイミングで確実に終了することができ、これにより、従来のように前記終了タイミングを時間制御で行う場合に比して、回転数急変時にも終了タイミングを高精度に保つことができ、その結果、排気エミッション特性の向上、燃費の向上等を効果的に図ることができる。
【発明を実施するための最良の形態】
【００２７】
以下、本発明の実施の形態を図面を参照しながら説明する。
【００２８】
図１は、本発明に係る高圧燃料ポンプ制御装置の一実施形態を、それが適用された車載用筒内噴射式エンジンの一例と共に示す全体構成図である。
【００２９】
図示の筒内噴射式エンジン１０は、例えば第１、第２、第３、第４の４つの気筒＃１，＃２，＃３，＃４を有する直列４気筒エンジンであって、シリンダヘッド１１と、シリンダブロック１２と、このシリンダブロック１２内に摺動自在に嵌挿されたピストン１５とを有し、該ピストン１５上方には燃焼室１７が画成される。燃焼室１７には、点火コイル３４から高電圧が印加される点火プラグ３５及び燃焼室１７内に直接燃料を噴射する燃料噴射弁３０が臨設されている。なお、図において、点火プラグ３５及び燃料噴射弁３０は、便宜上、燃焼室１７の天井部の左右に並設されているが、それらの配設位置は適宜に設定可能である。
【００３０】
燃料の燃焼に供せられる空気は、吸気通路２０の始端部に設けられたエアクリーナ２１の入口部２１ａから取り入れられ、エアフローセンサ２４を通り、電制スロットル弁２５が収容されたスロットルボディ２６を通ってコレクタ２７に入り、このコレクタ２７から前記吸気通路２０の下流部分を形成する分岐通路部及びその下流端に配在された、吸気カム軸２９により開閉駆動される吸気弁２８を介して各気筒＃１、＃２、＃３、＃４の燃焼室１７に吸入される。
【００３１】
燃焼室１７に吸入された空気と燃料噴射弁３０から噴射された燃料との混合気は、点火プラグ３５により点火されて爆発燃焼せしめられ、その燃焼廃ガス（排ガス）は、排気カム軸４９により開閉駆動される排気弁４８を介して排気通路４０に排出され、排気通路４０に配備された触媒コンバータ４６で浄化された後、外部に排出される。
【００３２】
一方、前記燃料噴射弁３０から噴射されるガソリン等の燃料は、燃料タンク５０から低圧燃料ポンプ５１により一次加圧されて燃料圧力レギュレータ５２により一定の圧力（例えば３ｋｇ／ｃｍ２）に調圧されるとともに、排気カム軸４９に設けられたポンプ駆動カム４７により駆動される高圧燃料ポンプ６０において、より高い圧力に二次加圧（例えば５０ｋｇ／ｃｍ２）されて燃料蓄圧室（コモンレール）５３へ圧送され、この蓄圧室５３から燃料が気筒#１、#２、#３、#４毎に設けられた燃料噴射弁３０に供給される。燃料噴射弁３０に供給される燃料の圧力（燃圧）は燃圧センサ５６により検出されるようになっている（後で詳述）。
【００３３】
そして、本実施形態の高圧燃料ポンプ制御装置１においては、高圧燃料ポンプ６０を含むエンジン１０の種々の制御を行うため、マイクロコンピュータを内蔵するコントロールユニット１００が備えられている。
【００３４】
コントロールユニット１００は、基本的には、図２に示される如くに、ＭＰＵ１０１、ＥＰ−ＲＯＭ１０２、ＲＡＭ１０３、及び、Ａ／Ｄ変換器を含むＩ／ＯＬＳＩ１０４等で構成され、入力信号として、エアフローセンサ２４により検出される吸入空気量に応じた信号、燃圧センサ５６により検出される燃料圧力に応じた信号、スロットルセンサ２３により検出されるスロットル弁２５の開度に応じた信号、排気通路４０に配設された空燃比センサ４４により検出される排ガス中の例えば酸素濃度に応じた信号、シリンダブロック１２に配設された水温センサ１９により検出されるエンジン冷却水温度に応じた信号の他、クランク角センサ（以下ポジションセンサと呼ぶ）３７からのクランク軸１８の回転位置をあらわす信号、並びに、カム角（クランク角）センサ（以下フェーズセンサと呼ぶ）３６からの前記カム軸４９の回転位置をあらわす信号（及び高圧燃料ポンプ６０のポンプ駆動カム４７の回転位置をあらわす信号）も供給され、さらに、図１には図示されていないイグニッションスイッチからの始動開始（クランキング開始）を示す信号等も供給される。
【００３５】
コントロールユニット１００は、前記各信号を所定の周期をもって取り込み、所定の演算処理を実行し、この演算結果として算定された制御信号を、各燃料噴射弁３０、点火コイル３４、高圧燃料ポンプ６０、低圧燃料ポンプ５１、電制スロットル弁２５、等に供給して、燃料噴射（噴射量、噴射時期）制御、点火時期制御、燃料圧力制御、スロットル弁２５の開度制御等を実行する。
【００３６】
そして、本実施形態の高圧燃料ポンプ制御装置１においては、高圧燃料ポンプ６０に備えられているアクチュエータ（ソレノイド９０）に対する制御（駆動）信号の出力制御に特徴を有するものであり、これを以下に詳細に説明する。
【００３７】
図３は、高圧燃料ポンプ６０を備えた燃料供給システムの全体構成を示し、図４は、高圧燃料ポンプ６０の拡大縦断面を示している。
【００３８】
前記高圧燃料ポンプ６０は、燃料タンク５０からの燃料を加圧して蓄圧室（コモンレール）５３に高圧の燃料を圧送するものであり、シリンダ室６７と、ポンプ室６８と、ソレノイド室６９とからなり、前記シリンダ室６７は、前記ポンプ室６８の下方に配置され、前記ソレノイド室６９は、前記ポンプ室６８の吸入側に配置されている。
【００３９】
前記シリンダ室６７には、プランジャ６２、リフタ６３、プランジャ下降ばね６４が配在され、前記プランジャ６２は、排気カムシフト４９に設けられてそれと一体回転するポンプ駆動カム４７に圧接せしめられたリフタ６３を介して往復動せしめられ、加圧室７２の容積を変化させる。
【００４０】
前記ポンプ室６８は、低圧燃料の吸入通路７１、加圧室７２、高圧燃料の吐出通路７３から構成され、吸入通路７１と加圧室７２との間には、燃料通過弁とされる吸入弁６５が設けられている。この吸入弁６５は、燃料の流通方向を制限する逆止弁であり、閉弁ばね６５ａにより閉弁方向（ポンプ室６８からソレノイド室６９に向かう方向）に付勢されている。前記加圧室７２と吐出通路７３との間には吐出弁６６が設けられており、この吐出弁６６もまた、燃料の流通方向を制限する逆止弁であり、閉弁ばね６６ａにより閉弁方向に付勢されている。なお、閉弁ばね６５ａは、プランジャ６２による加圧室７２内の容積変化により、吸入弁６５を挟んで、加圧室７２側の圧力が吸入通路７１側の圧力に対して同等又はそれ以上になった場合には、前記吸入弁６５を閉弁させるように付勢するものである。
【００４１】
前記ソレノイド室６９には、アクチュエータであるソレノイド９０、吸入弁操作部材９１、及び開弁ばね９２が配在されており、前記吸入弁操作部材９１は、前記吸入弁６５に相対する位置に配在され、その先端部（ロッド部）が前記吸入弁６５に接離自在に接当せしめられ、ソレノイド９０が通電励磁されると、その電磁力によりソレノイド室６９側に吸引され、これによって、前記吸入弁６５が閉弁方向に移動せしめられる。一方、ソレノイド９０が通電励磁されていない状態では、前記吸入弁操作部材９１の後端に圧接する開弁ばね９２の付勢力により、前記吸入弁６５は、前記吸入弁操作部材９１を介して開弁方向に移動せしめられ、開弁状態にされる。
【００４２】
燃料タンク５０から燃料ポンプ５１及び燃圧レギュレータ５２を介して所定圧力に調圧された燃料は、前記ポンプ室６８の吸入通路７１に導かれ、その後、前記ポンプ室６８内の加圧室７２で前記プランジャ６２の往復動により加圧され、前記ポンプ室６８の吐出通路７３から蓄圧室５３に圧送される。
【００４３】
前記蓄圧室５３には、燃圧センサ５６が設けられており、コントロールユニット１００は、ポジションセンサ３７、フェーズセンサ３６、及び燃圧センサ５６からの各検出信号に基づいて、ソレノイド９０に対する制御（駆動）信号を出力して高圧燃料ポンプ６０の燃料吐出量の制御を行う。なお、前記蓄圧室５３と燃料タンク５０との間には、配管系破損の防止を図るべく、リリーフ弁５７が配在されており、このリリーフ弁５７は、前記蓄圧室５３内の圧力が所定値を超えた場合に開弁されるようになっている。
【００４４】
図５は、前記高圧燃料ポンプ６０の動作タイムチャートを示している。なお、ポンプ駆動カム４７で駆動されるプランジャ６２の実際のストローク（実位置）は、図６の下段に示される如くの曲線になるが、上死点と下死点の位置を分かり易くするため、図６以外のプランジャ６２のストロークが示されている図（図５、図１４、図１５等）においては、プランジャ６２のストロークは直線的に描かれている。
【００４５】
プランジャ６２が、前記ポンプ駆動カム４７の回転によりプランジャ下降ばね６４の付勢力に応じて上死点側から下死点側に移動すると、前記ポンプ室６８の吸入行程が行われる。この吸入行程では、前記吸入弁操作部材９１が開弁ばね９２の付勢力に応じて吸入弁６５を開弁方向に移動させる。これにより、加圧室７２内の圧力が低下する。
【００４６】
次に、プランジャ６２が、前記カム４７の回転によりプランジャ下降ばね６４の付勢力に抗して下死点側から上死点側に移動すると、前記ポンプ室６８の圧縮行程が行われる。この圧縮行程では、コントロールユニット１００からアクチュエータであるソレノイド９０へ駆動（制御）信号が出力されてソレノイド９０が通電励磁状態（ＯＮ状態）にされると、前記吸入弁操作部材９１が開弁ばね９２の付勢力に抗して吸入弁６５を閉弁させる方向に移動せしめられ、その先端が前記吸入弁６５から離間して、前記吸入弁６５が閉弁ばね６５ａの付勢力に応じて閉弁方向に移動する。これにより、加圧室７２内の圧力が上昇する。
【００４７】
そして、前記吸入弁操作部材９１がソレノイド９０側に最も吸引され、プランジャ６２の往復動に同期する吸入弁６５が閉弁して加圧室７２内の圧力が高くなると、加圧室７２内の燃料が吐出弁６６を押圧し、該吐出弁６６は、閉弁ばね６６ａの付勢力に抗して自動的に開弁し、加圧室７２の容積減少分の高圧燃料が蓄圧室５３側に吐出される。なお、ソレノイド９０の通電（駆動信号の出力）は、前記吸入弁６５がソレノイド９０側に移動せしめられて閉弁されると停止（ＯＦＦ）されるが、上記のように、前記加圧室７２内の圧力が高いため、吸入弁６５は閉弁状態で維持されて蓄圧室５３側への燃料の吐出が行われる。
【００４８】
また、プランジャ６２が、前記カム４７の回転によりプランジャ下降ばね６４の付勢力に応じて上死点側から下死点側に移動すると、前記ポンプ室６８の吸入行程が行われ、前記加圧室７２内の圧力低下に伴って、前記吸入弁操作部材９１が開弁ばね９２の付勢力に応じて吸入弁６５を開弁する方向に移動せしめられるともに、吸入弁６５がプランジャ６２の往復動に同期して自動的に開弁し、前記吸入弁６５の開弁状態が保持される。そして、加圧室７２内は圧力の低下が生じていることにより吐出弁６６の開弁が行われない。以後前記動作を繰り返す。
【００４９】
よって、前記プランジャが上死点に達する前の圧縮行程の途中で、ソレノイド９０がＯＮ状態（通電励磁状態）にされると、蓄圧室５３への燃料圧送が行われ、また、燃料圧送が一度始まれば、加圧室７２内の圧力は上昇しているので、その後に、ソレノイド９０をＯＦＦ状態にしても、吸入弁６５は閉弁状態を維持する一方で、吸入行程の始まりに同期して自動開弁することができる。そのため、ソレノイド９０の駆動信号の出力開始タイミングにより、蓄圧室５３側への燃料の吐出量を調節することができる。さらに、圧力センサ５６からの信号に基づき、適切な出力開始タイミングを設定して、ソレノイド９０をコントロールすることにより、蓄圧室５３の圧力を目標値にフィードバック制御することができる。
【００５０】
図７は、コントロールユニット１００が実行する高圧燃料ポンプ制御の機能ブロック図である。コントロールユニット１００は、基本角度算出手段７０１、目標燃圧算出手段７０２、燃圧入力処理手段７０３、ソレノイド制御信号を算定する手段の一態様であるポンプ制御信号算定手段７５０、及び、前記ソレノイド９０を通電励磁するための駆動信号を出力するソレノイド駆動手段７０７、を備えている。
【００５１】
基本角度算出手段７０１は、運転状態に基づいてソレノイド９０を通電励磁状態（ＯＮ状態）にするためのソレノイド制御信号の基本角度BASANGを算出する。ここで、図８に、吸入弁６５の閉弁タイミングと高圧燃料ポンプ吐出量の関係を示す。基本角度BASANGは、要求燃料噴射量と高圧燃料ポンプ吐出量を釣り合うように前記吸入弁６５が閉弁する角度を制御基準点（後述）からの角度に換算して設定する。目標燃圧算出手段７０２は、同じく運転状態に基づきその動作点に最適な目標燃圧Ptargetを算出する。燃圧入力処理手段７０３は、燃圧センサ５６の信号をフィルタ処理し、実燃圧である計測燃圧Prealを求める。そして、ポンプ制御信号算定手段７５０は、前記した基本角度BASANG、目標燃圧Ptarget、及び、計測燃圧Preaに基づいてポンプ制御信号（ソレノイド制御信号）を算定する。ソレノイド駆動手段７０７は、ポンプ制御信号算定手段７５０からのソレノイド制御信号に応じた、前記ソレノイド９０を通電励磁するためのソレノイド駆動信号を出力する（後で詳述）。
【００５２】
図９に、前記コントロールユニット１００の動作タイミングチャートを示す。コントロールユニット１００は、フェーズセンサ３６からの信号（フェーズ信号）とポジションセンサ３７からの信号（ポジション信号）に基づいて、各ピストン１５の上死点位置を検出把握し、燃料噴射制御及び点火時期制御を行うとともに、前記フェーズセンサ３６からの信号（フェーズ信号）と前記ポジションセンサ３７からの信号（ポジション信号）に基づいて、プランジャ６２のストロークを検出把握し、高圧燃料ポンプ６０の燃料吐出制御であるソレノイド制御を行う。
【００５３】
このソレノイド制御はタイミング制御であり、基準となる点が必要である。そして、基準点は前記吸入弁６５が高圧燃料ポンプ６０の吐出行程中に閉弁するように、高圧燃料ポンプ６０の吸入行程中にあることが望ましい。前述のように、特にフェーズセンサ３６のみしか持たないエンジンの場合、時間制御区間が長いので回転数急変時には要求タイミングに対して精度が出ない。つまり、時間制御区間中に制御基準点を定めた場合、基準点がずれ、ポンプ吐出量が意図した量にならない可能性がある。よって、制御基準点は、時間制御による誤差を排除するため、上記ポジション信号又はフェーズ信号が入力された（特定のクランク角度位置を認識した）時点とする。また、制御基準点から一定期間経過後に通電強制カット信号を出力する場合において、基準点のずれを排除することは、終了タイミングのずれを排除する効果もある。
【００５４】
このとき、高圧燃料ポンプ６０からの燃料の吐出は、ソレノイド制御信号の立ち上がりからソレノイド９０の作動遅れ分の所定時間経過後に開始される一方で、この吐出は、ソレノイド制御信号（の出力）が終了しても加圧室１２からの圧力によって吸入弁６５が押されているので、プランジャストロークが上死点に達するまで続けられる。
【００５５】
図１０は、前記ポンプ制御信号算定手段７５０の、より詳細な構成を示す機能ブロック図である。ポンプ制御信号算定手段７５０は、基本的には、ソレノイド９０の駆動信号（パルス）の出力開始タイミングを演算する基準角度演算手段７０４と、その駆動信号の幅（パルス幅＝通電時間）を算出するポンプ信号通電時間算出手段７０６とを備え、基準角度演算手段７０４は、基本角度算出手段７０１により算出される基本角度BASANG、目標燃圧算出手段７０２により算出される目標燃圧Ptarget、及び、燃圧入力処理手段７０３により算出される計測燃圧Prealに基づいて、前記駆動信号の出力開始の基準となる基準角度REFANGを演算する。
【００５６】
そして、前記基準角度REFANGに、ソレノイド作動遅れ補正手段７０５により求められる作動遅れ補正分PUMREを加えて、ソレノイド９０の駆動信号の出力開始角度STANGを計算し、それをソレノイド９０の駆動信号の出力開始タイミングとしてソレノイド駆動手段７０７に送る。
【００５７】
また、前記ポンプ信号通電時間算出手段７０６は、運転条件に基づいて高圧燃料ポンプ６０のソレノイド９０の通電時間TPUMKEを演算し、それをソレノイド駆動手段７０７に送る。ソレノイド駆動手段７０７は、前記出力開始角度STANGと前記通電時間TPUMKEとに基づいてソレノイド９０に駆動信号を出力してその通電励磁を行う。前記通電時間TPUMKEの値は、バッテリ電圧が低くソレノイド抵抗が大きい、ソレノイド吸引力発生最悪条件においてであっても、加圧室７２の圧力で吸入弁６５を閉じられるようになるまで吸入弁操作部材９１を保持し、確実に吸入弁６５を閉弁できる値に設定する。また、ソレノイド作動遅れ補正手段７０５は、ソレノイド９０の電磁力、ひいては作動遅れ時間がバッテリ電圧によって変わることから、バッテリ電圧に基づいてソレノイド作動遅れ補正分PUMREを算出する。
【００５８】
フェーズセンサ入力処理手段７０８及びポジションセンサ入力処理手段７０９は、クランク角度位置情報（いずれの気筒が特定のクランク角度位置にあるか等）を通電強制カット信号算出手段７１０に出力し、通電強制カット手段７１０は、通電強制カット信号をソレノイド駆動手段７０７に出力する。そして、ソレノイド駆動手段７０７は、前記出力開始角度STANGと前記通電時間TPUMKEと通電強制カット信号に基づいて、ソレノイド９０の駆動を行う。
【００５９】
次に、図１０に示されるフェーズセンサ入力処理手段７０８及びポジションセンサ入力処理手段７０９において、所定のクランク角度位置を求める手法を図１１を参照しながら説明する。なお、本明細書中においてフェーズセンサ３６からの信号（パルス）がＨｉｇｈからＬｏｗに切り換わる点をフェーズセンサ３６からの信号が入力されたと認識した時点と定義する。同様にポジションセンサ３７からの信号（パルス）がＨｉｇｈからＬｏｗに切り換わる点をポジションセンサ３７からの信号が入力されたと認識した時点と定義する。
【００６０】
前記フェーズセンサ３６からの信号（パルス）入力位置は、第１〜第４気筒#１、#２、#３、#４の上死点前Ａ［ｄｅｇ］及びＢ［ｄｅｇ］とされ、任意の１気筒のみ上死点前Ｃ［ｄｅｇ］の位置に信号入力があるように設定されている。ここで、上死点前Ａ［ｄｅｇ］の信号と上死点前Ｃ［ｄｅｇ］の信号の時間間隔は他より短くなるように設定され、前記コントロールユニット１００は、各信号入力位置間（Ｂ−Ａ、Ａ−Ｃ）の時間Ｔ（ｎ）を計測し、Ｔ（ｎ）／Ｔ（ｎ−１）を演算する（Ｔ（ｎ−１）：１つ前の入力位置間の時間）。Ｔ（ｎ）／Ｔ（ｎ−１）が規定値以下の場合、上死点前Ｃ［ｄｅｇ］の信号が到来したと判断し、その信号を基準として各信号の入力位置（順番）を把握し、所定のクランク角度位置を求める。
【００６１】
また、ポジションセンサ３７からの信号には、信号が欠けた部分（歯欠部と称す）があり、前記コントロールユニット１００は、各信号入力位置間の時間Ｔ’（ｎ）を計測し、Ｔ’（ｎ）／Ｔ’（ｎ−１）を演算する（Ｔ’（ｎ−１）：１つ前の入力位置間の時間）。Ｔ’（ｎ）／Ｔ’（ｎ−１）が規定値以下の場合、歯欠部が到来したと判断し、所定のクランク角度位置を認識する。ポジションセンサ３７のみでは、どの気筒が所定のクランク角度位置（例えば上死点）にあるかを認識（気筒判別）できないので、気筒判別はフェーズセンサ３６からの信号を使用する。
【００６２】
次に、前記通電強制カット手段７１０の具体的な処理内容を説明する。通電強制カット手段７１０では、絶対に通電信号（ソレノイド駆動信号）をＯＦＦしていなければならない制御基準点からの位置を演算の後、通電強制カット信号を出力するようにされる。通電信号をＯＦＦしていなければならない制御基準点からの位置は、通電信号ＯＦＦ後のソレノイド９０の吸引力が次の吐出行程まで維持されない角度であり、本例では、その位置上にフェーズセンサ３６からの信号、ポジションセンサ３７から所定のクランク角度位置をあらわす信号が入力されるようになっている。よって、フェーズセンサ３６のみのエンジンの場合、通電信号をＯＦＦしなければならない位置上にフェーズセンサ３６からの前記所定のクランク角度位置をあらわす信号が入力されるようにポンプ駆動カム４７の取り付け角度等を設定しておく。
【００６３】
図１２は、ソレノイド制御信号、ソレノイド９０の通電電流値及び吸引力の関係を示す。ソレノイド通電（駆動）信号（ソレノイド制御信号）ＯＦＦ後、ソレノイド９０には一定期間電流が流れ、電流が一定値以下に落ちるまで吸引力は維持される。この通電ＯＦＦ後のソレノイド９０の吸引力が次の吐出行程まで維持された場合、意図しない全吐出が発生し、昇圧を招く。前記吸引力が維持される期間はコイル抵抗及びバッテリ電圧に依存するので、細かい角度設定が可能であるポジションセンサ３７を備えたエンジンの場合、バッテリ電圧又は回転数に応じて通電ＯＦＦ位置を可変としても良い。ここで回転数を使用する理由は、ソレノイド吸引力発生時間をクランク角度に換算するためである。
【００６４】
図１３は、コントロールユニット１００が実行する通電強制カットルーチンの一例を示すフローチャートである。このルーチンは、割込み処理からスタートするが、割込み処理は、例えば１０ｍｓ毎のような時間周期でも、所定クランク角度毎のように回転周期等でもよい。ステップ３０１では、図１１を参照しながら前述した如くの手法により、フェーズセンサ３６及びポジションセンサ３７からの信号に基づいて所定のクランク角度位置を求める。
【００６５】
続くステップ３０２では、ステップ３０１で求められた所定のクランク角度位置（時点）が、ソレノイド９０が通電されている場合は強制的に通電をカットしなければならない位置（クランク角度）かどうかを判断する。ポジションセンサ３７からの信号を使用する方が、制御自由度が高いため、前記通電カット位置の判断には、ポジションセンサ３７からの信号入力を用いるが、ポジションセンサ３７が故障している場合等には、フェーズセンサ３６からの信号を用いてカット位置を判断し、システムの安定性を高める。
【００６６】
ステップ３０２において通電カット位置であると判断された場合。ステップ３０３に進み、制御基準点から一定期間（Ａ）が経過しているか否かを判断する。これは、各センサ３６、３７からの信号にノイズが混入した場合に、信号入力数（クランク角度）が早くカウントされ、早期に通電を強制カットされることを防ぐためである。前記一定期間（Ａ）は、制御基準点から高圧燃料ポンプ６０の上死点までの期間に設定されるので、回転数がパラメータとなる。ステップ３０３において、制御基準点から一定期間（Ａ）が経過していると判断された場合、ステップ３０５に進み、通電強制カット信号をソレノイド駆動手段７０７に出力する。
【００６７】
ステップ３０２及びステップ３０３において、「Ｎｏ」と判断された場合には、ステップ３０４に進み、制御基準点から一定期間（Ｂ）が経過しているか否かを判断し、経過していれば、ステップ３０５に進んで、通電強制カット信号を出力し、経過していない場合は元に戻る。これは、センサ３６、３７からの信号をコントロールユニット１００が認識しなかった場合やノイズが混入している場合等においても通電強制カットを可能とするためである。前記一定期間（Ｂ）は、制御基準点から高圧燃料ポンプ６０の上死点以降までの期間に設定されるので、回転数がパラメータとなる。
【００６８】
図１４は、上記燃圧制御に使用されるソレノイド駆動信号の出力開始角度STANGや通電時間TPUMKE等のパラメータを示したものである。ソレノイド駆動信号の出力タイミングである出力開始角度STANGは、下記の（式１）のように求めることができる。
【００６９】
STANG  ＝  REFANG−PUMRE                              ………（式１）
ここで、REFANGは、エンジン１０の運転状態に基づいて基準角度算出手段７０４で算出される。PUMREはポンプ遅れ角度であり、ソレノイド作動遅れ補正手段７０５で算出され、例えば、バッテリ電圧により変化するアクチュエータ駆動時間、すなわち、ソレノイドに対する通電量に応じた吸入弁操作部材９１の作動遅れを表している。
【００７０】
次に、ソレノイド９０の駆動（制御）信号の幅であるポンプ位相制御信号通電時間TPUMKEは、ポンプ信号通電時間TPUMKE（図１０の７０６で算出）を基本値とし、運転状態に基づいて算出する。そして、出力開始角度STANGによって、予め定められた制御基準点からどれくらいで吸入弁６５を閉じさせるソレノイド９０の駆動（ＯＮ）信号を出力するか、すなわちソレノイド制御信号の出力タイミングを求め、一方、ポンプ信号通電時間TPUMKEによって、前記ソレノイド制御信号をどれくらいの時間で出力し続けるか、すなわちソレノイド制御信号（パルス）の幅を求めている。
【００７１】
図１６は、本実施形態の高圧燃料ポンプ制御装置１における動作タイミングチャートを示す。本実施形態では、クランク角センサ（フェーズセンサ３６及びポジションセンサ３７）からの信号を通電カット（時間制限）に使用し、設定されたソレノイド制御信号出力開始タイミングから算出された時間分通電することを基本とし、出力終了タイミング（通電時間）が既定値を超えた場合には、強制的に通電をＯＦＦにする。
【００７２】
このように、本実施形態の高圧燃料ポンプ制御装置１では、ソレノイド９０への駆動信号を、クランク角センサ（フェーズセンサ３６及びポジションセンサ３７）からの所定のクランク角度位置をあらわす信号に基づいて強制的にカット（ＯＦＦ）して、次の高圧燃料ポンプ６０の吐出行程に前記ソレノイド９０の吸引力が残らないように制御しているので、高圧燃料ポンプ６０から意図しない量の燃料が吐出されるのが防止され、確実に目標燃圧に制御することが可能となる。これにより、失火及びシリンダ内の燃料付着等が防止され、燃焼の安定化及び排気エミッション特性の向上等を図ることができる。
【００７３】
以上、本発明の実施形態について詳述したが、本発明は前記実施形態に限定されるものではなく、特許請求の範囲に記載された本発明の精神を逸脱することなく設計において種々の変更ができるものである。
【００７４】
例えば、前記実施形態では、例えば、前記実施形態では、高圧燃料ポンプ６０が排気カム軸４９により駆動されるようになっているが、吸気カム軸２９あるいはクランク軸１８により駆動するようにしてもよい。
【図面の簡単な説明】
【００７５】
【図１】本実施形態の高圧燃料ポンプ制御装置の一実施形態をそれが適用されたエンジンと共に示す全体構成図。
【図２】図１に示される高圧燃料ポンプ制御装置の主要部を構成するコントロールユニットの説明に供されるブロック図。
【図３】高圧燃料ポンプを備えた燃料供給システムの全体構成を示す図。
【図４】図１に示される高圧燃料ポンプの拡大縦断面図。
【図５】高圧燃料ポンプの動作説明に供されるタイムチャート。
【図６】図５のタイムチャートの補足説明図。
【図７】コントロールユニットが実行する高圧燃料ポンプ制御の機能ブロック図。
【図８】高圧燃料ポンプの吐出流量特性を示す図
【図９】コントロールユニットによる高圧燃料ポンプ制御のタイムチャート。
【図１０】図７に示されるポンプ制御信号算定手段の、より詳細な構成を示す機能ブロック図。
【図１１】フェーズセンサ入力処理手段及びポジションセンサ入力処理手段において、所定のクランク角度位置を求める手法の説明に供される図。
【図１２】ソレノイド制御信号、ソレノイドの通電電流値、及び吸引力の関係を示す図。
【図１３】コントロールユニットが実行する通電強制カットルーチンの一例を示すフローチャート。
【図１４】記燃圧制御に使用されるソレノイド駆動信号の出力開始角度や通電時間等のパラメータを示す図。
【図１５】従来の燃圧制御時の動作タイミングチャート。
【図１６】本発明による燃圧制御時の動作タイミングチャート。
【図１７】従来の高圧燃料ポンプ制御における課題の説明に供される図。
【符号の説明】
【００７６】
１  高圧燃料ポンプ制御装置
１０  エンジン
１８  クランク軸
２９  吸気カム軸
３０  燃料噴射弁
３６  クランク角センサ（フェーズセンサ）
３７  クランク角センサ（ポジションセンサ）
４７  ポンプ駆動カム
４９  排気カム軸
５６  燃圧センサ
６０  高圧燃料ポンプ
６５  吸入弁
９０  ソレノイド（アクチュエータ）
１００  コントロールユニット
【図１】
2006037836.tif 000003
【図２】
2006037836.tif 000004
【図３】
2006037836.tif 000005
【図４】
2006037836.tif 000006
【図５】
2006037836.tif 000007
【図６】
2006037836.tif 000008
【図７】
2006037836.tif 000009
【図８】
2006037836.tif 000010
【図９】
2006037836.tif 000011
【図１０】
2006037836.tif 000012
【図１１】
2006037836.tif 000013
【図１２】
2006037836.tif 000014
【図１３】
2006037836.tif 000015
【図１４】
2006037836.tif 000016
【図１５】
2006037836.tif 000017
【図１６】
2006037836.tif 000018
【図１７】
2006037836.tif 000019